(57)【要約】【課題】机またはテーブル等に向かって着席した状態で作業を行う際に、腰に係る負担を軽減して良好な姿勢を保つことができ、長時間に亘る作業であっても、快適に作業を行うことが可能な机上作業用クッションを提供する。【解決手段】机上作業用クッション１は、板状の芯材の周囲が柔軟性素材３で覆われて形成されている。芯材は割れにくく、かつ剛体よりもやや柔軟性のある材料を用いることが好ましく、例えばウレタン系樹脂や木質合板を用いることができる。  柔軟性素材３は、押し付けられたときに充分に圧縮し、その力が除かれるともとの形状に復元する性質を有し、例えばスポンジ等を用いることができる。【選択図】  図１
2005177463.tif 000002
【特許請求の範囲】
【請求項１】
芯材の周囲が柔軟性素材で覆われ、前記芯材の長手方向に対して所定の角度をなすように形成された突起部が設けられた机上作業用クッションであって、この突起部に、机またはテーブルに固定するための固定部が設けられた机上作業用クッション。
【請求項２】
芯材の周囲が柔軟性素材で覆われ、椅子の肘掛けに対して回動可能に設けられた棒状体に固定可能な机上作業用クッション。
【請求項３】
開口部を対向させた円弧形の外パイプと、当該外パイプ内をスライドして一方の開口部から出没し前記開口部間を横断可能な円弧形の中子とを有し、芯材の周囲が柔軟性素材で覆われ前記中子とともにスライド可能な机上作業用クッションが装着される机上作業用クッション装着具であって、
前記外パイプの内周には前記机上作業用クッションを案内する案内孔が形成され、前記机上作業用クッションは前記案内孔を通じて前記中子に接続されて前記外パイプの内周側に位置し、前記中子が前記外パイプ内をスライドして前記開口部間を横断したときに、前記机上作業用クッションが前記開口部間の略中央に位置する構造としたことを特徴とする机上作業用クッション装着具。
【発明の詳細な説明】
【技術分野】
【０００１】
本発明は、机またはテーブル等に向かって着席した状態で作業を行う際に用いられる机上作業用クッションおよび机上作業用クッション装着具に関する。
【背景技術】
【０００２】
机またはテーブル等に向かって着席した状態で長時間に亘って事務作業等を行う際には、作業者自身の体重が腰に係って大きな負荷となり、腰痛を引き起こしやすいことはよく知られている。また、このような状態で良好な姿勢を保ち続けることは容易なことではない。正しい姿勢で作業が行われないと、作業効率が低下するばかりでなく、作業者の健康上の問題を生じやすい。
【０００３】
机上での作業時の不快感を軽減する目的で、作業台に弾力性とクッション性のある素材を使用した台を取り付け、この台を必要な時に引き出して机に肘や腕をついて仕事ができるようにした引き出し台が、特許文献１に記載されている。
【０００４】
【特許文献１】実開平７ー２０８６３号公報
【発明の開示】
【発明が解決しようとする課題】
【０００５】
この引き出し台を用いると、確かに机に肘や腕をついたときの不快感が軽減されるが、作業台に弾力性とクッション性のある素材を使用した台を取り付けたものであるため、作業者の身長や座高に合わせて簡便に調整することが難しい。また、机に肘や腕をついたときの姿勢を想定して作られているため、その用途には自ずから限界がある。
【０００６】
本発明は、このような事情を考慮してなされたもので、机またはテーブル等に向かって着席した状態で作業を行う際に、腰に係る負担を軽減して良好な姿勢を保つことができ、長時間に亘る作業であっても、快適に作業を行うことが可能な机上作業用クッションおよび机上作業用クッション装着具を提供することを目的とする。
【課題を解決するための手段】
【０００７】
以上の課題を解決するために、本発明は、芯材の周囲が柔軟性素材で覆われ、前記芯材の長手方向に対して所定の角度をなすように形成された突起部が設けられた机上作業用クッションであって、この突起部に、机またはテーブルに固定するための固定部が設けられた机上作業用クッションである。
【０００８】
この机上作業用クッションは、机に向かって着席した状態で作業を行う際に、作業者の体の胸部から腹部にかけて机上作業用クッションを当てて作業を行うようにして使用される。机上作業用クッションは芯材の周囲が柔軟性素材で覆われた構成となっているため、作業者からの荷重によって柔軟性素材が圧縮変形するが、芯材が入っているために、圧縮されてもある程度の厚みは確保できるようになっている。そのため、作業者は机に寄りかかるような姿勢をとっても机との間隔を適度な間隔で維持することができ、腰に係る負担を軽減しつつ良好な姿勢を保つことができる。また、机上作業用クッションの表面はスポンジ等の柔軟性素材で覆われているため、体を机上作業用クッションに押し付けたときの不快感もなく、快適な状態を維持することができる。
【０００９】
また、本発明は、芯材の周囲が柔軟性素材で覆われ、椅子の肘掛けに対して回動可能に設けられた棒状体に固定可能な机上作業用クッションである。
この机上作業用クッションは、椅子の肘掛けに対して回動可能に設けられた棒状体に固定されて使用され、椅子に腰掛けた作業者は、机に寄りかかるような姿勢をとっても机との間隔を一定の間隔で維持することができ、腰に係る負担を軽減しつつ良好な姿勢を保つことができる。また、棒状体は一方の肘掛けとの固定点を支点として回動可能であるため、離席するときには棒状体を回動させればよく、作業の邪魔になることもない。
【００１０】
さらに、本発明は、開口部を対向させた円弧形の外パイプと、当該外パイプ内をスライドして一方の開口部から出没し前記開口部間を横断可能な円弧形の中子とを有し、芯材の周囲が柔軟性素材で覆われ前記中子とともにスライド可能な机上作業用クッションが装着される机上作業用クッション装着具であって、前記外パイプの内周には前記机上作業用クッションを案内する案内孔が形成され、前記机上作業用クッションは前記案内孔を通じて前記中子に接続されて前記外パイプの内周側に位置し、前記中子が前記外パイプ内をスライドして前記開口部間を横断したときに、前記机上作業用クッションが前記開口部間の略中央に位置する構造としたことを特徴とする机上作業用クッション装着具である。
【００１１】
この机上作業用クッション装着具は、椅子に取り付けて使用されるものであり、机に向かって着席した状態で作業を行う際に、作業者の体の胸部から腹部にかけて机上作業用クッションを当てて作業を行うようにして使用される。この机上作業用クッション装着具は、外パイプ内をスライドして開口部から出没する中子を備え、外パイプの内周には案内孔が形成されている。このような構成とすることにより、外パイプの内周側に設けられた机上作業用クッションは案内孔に沿って移動可能となる。これにより、使用時には、中子をスライドさせて机上作業用クッションを開口部間に位置させて使用者の胸部から腹部にかけて当接させることができ、使用しないときには、中子をスライドさせて、机上作業用クッションを外パイプの内周側へと収納することができる。また、机上作業用クッションの芯材の周囲は柔軟性素材で覆われており、作業者は机に寄りかかるような姿勢をとっても机との間隔を適度な間隔で維持することができ、前述と同様に腰に係る負担を軽減しつつ良好な姿勢を保つことができる。
【発明の効果】
【００１２】
本発明によると、作業者は机に寄りかかるような姿勢をとっても机との間隔を適度な間隔で維持することができ、腰に係る負担を軽減しつつ良好な姿勢を保つことができる。そのため、長時間に亘る作業であっても、快適に作業を行うことが可能となる。
【発明を実施するための最良の形態】
【００１３】
以下、本発明をその実施形態に基づいて詳細に説明する。
図１に、本発明の実施形態に係る机上作業用クッションの全体斜視図を示す。また、図２に本発明の実施形態に係る机上作業用クッションのＡ−Ａ断面図を示す。
図１、図２に示すように、机上作業用クッション１は、板状の芯材２の周囲が柔軟性素材３で覆われて形成されている。芯材２は割れにくく、かつ剛体よりもやや柔軟性のある材料を用いることが好ましく、例えばウレタン系樹脂を用いることができる。
柔軟性素材３は、押し付けられたときに充分に圧縮し、その力が除かれるともとの形状に復元する性質を有し、例えばスポンジ等を用いることができる。
【００１４】
図１に示す厚みＢは柔軟性素材３の性質にもよるが、概略６０ｍｍから８０ｍｍ程度とすることが好ましく、縦方向の長さＣは使用者の身長、座高にもよるが、概略２００ｍｍから３００ｍｍの間に設定することが望ましい。芯材２の厚みは２ｍｍから３ｍｍ程度とするのが望ましい。また、図３において説明する使用状況に対応するために、芯材２の長手方向に対して所定の角度をなすように形成された突起部４が設けられ、前記所定の角度θは７５°程度に設定することが好ましい。
【００１５】
図３に、机上作業用クッション１を机またはテーブルの上面に取り付けて用いるときの実施形態を示す。
この実施形態においては、突起部４には、机上作業用クッション１を机６の上面に固定するための固定部５が取り付けられる。机６の上面から机上作業用クッション１の上端までの長さは７０ｍｍ程度とし、机６の上面から机上作業用クッション１の下端までの長さは１３０ｍｍ程度とするのがよい。
【００１６】
図４に、固定部５の構成の一例を示す。固定部５は、机上作業用クッション１の突起部４に固定部５を取り付けるための取手７と、回動部材８と、吸盤９とからなる。回動部材８は、図示する方向に回動可能であり、これに伴って取手７を介して固定部５に取り付けられた机上作業用クッション１は、図３において図示する方向に、机６の上面に対して回動することができる。この機能により、机の引き出しを開けたいときには、吸盤９を机６の上面からはずすことなく、机上作業用クッション１を一時的に回動させて机の引き出しを開けることができるため、使用上の利便性が増す。
【００１７】
図５に、机上作業用クッション１を使用するときの使用状態を示す。机６に向かって着席した状態で作業を行う作業者は、自分の体の胸部から腹部にかけて机上作業用クッション１を当てて作業を行う。机上作業用クッション１は上述したように、芯材２の周囲が柔軟性素材３で覆われた構成となっているため、作業者からの荷重によって柔軟性素材３が圧縮変形するが、芯材２が入っているために、圧縮されてもある程度の厚みは確保できるようになっている。そのため、作業者は机６に寄りかかるような姿勢をとっても机６との間隔を適度な間隔で維持することができ、腰に係る負担を軽減しつつ良好な姿勢を保つことができる。また、机上作業用クッション１の表面はスポンジ等の柔軟性素材３で覆われているため、体を机上作業用クッション１に押し付けたときの不快感もなく、快適な状態を維持することができる。
【００１８】
図６に、机上作業用クッション１を椅子に取り付けて用いるときの実施形態を示す。
椅子１０の肘掛け１１には棒状体１２が取り付けられ、この棒状体１２は一方の肘掛け１１との固定点を支点として回動可能となっている。机上作業用クッション１は棒状体１２のほぼ中央部に接着等によって固定される。この実施形態における机上作業用クッション１の固定は、突起部４を形成して突起部４を棒状体１２に固定してもよく、図６に示すように、突起部４を形成せずに机上作業用クッション１が棒状体１２に接触する面で固定してもよい。棒状体１２として、剛体よりもやや柔軟性のある材料を用いることが好ましく、例えばウレタン系樹脂や木質合板を用いることができる。棒状体１２を一方の肘掛け１１との固定点を支点として回動可能とするためには、棒状体１２の一端を、蝶番を用いて一方の肘掛け１１に固定する等により可能である。
【００１９】
この実施形態においても、椅子に腰掛けた作業者は、机に寄りかかるような姿勢をとっても机との間隔を適度な間隔で維持することができ、腰に係る負担を軽減しつつ良好な姿勢を保つことができる。また、棒状体１２は一方の肘掛け１１との固定点を支点として回動可能であるため、離席するときには棒状体１２を回動させればよく、作業の邪魔になることもない。
【００２０】
図７に、机上作業用クッション１ａを装着している机上作業用クッション装着具２１を示しており、（ａ）は机上作業用クッション１ａを使用しない状態の平面図、（ｂ）は机上作業用クッション１ａを使用する状態の平面図である。図８は図７（ａ）のＤ−Ｄ線断面図である。
【００２１】
机上作業用クッション装着具２１は、開口部２７ａ，２７ｂを対向させた円弧形の外パイプ２２と、この外パイプ２２内をスライドして開口部２７ａから出没する円弧形の中子２３とを有し、この中子２３とともにスライド可能な机上作業用クッション１ａを備えている。中子２３は、スライドすることにより開口部２７ａ，２７ｂ間を横断して、中子２３の端部と開口部２７ｂとを接続することができる。
【００２２】
外パイプ２２の内周には机上作業用クッション１ａを案内する案内孔３１が形成されており、中子２３の内周には、机上作業用クッション１ａを固定する固定部２４が設けられている。机上作業用クッション１ａは固定部２４により案内孔３１を通じて中子２３に接続されて外パイプ２２の内周側に位置している。外パイプ２２の開口部２７ｂ付近には係止部２６が設けられており、中子２３の出没する側の端には係止部２６と係合可能な突起部２５が設けられている。また、外パイプ２２は、中子２３を備えるために中空状となっており、外パイプ２２と中子２３との間にはスライドを可能とするために隙間が設けられている。
【００２３】
従って、中子２３が開口部２７ａ，２７ｂ間を横断して、中子２３の端部が開口部２７ｂ内に挿入するときに、突起部２５と係止部２６とが係合して中子２３が外パイプ２２に固定されて、机上作業用クッション１ａが開口部２７ａ，２７ｂ間の略中央に位置するようになっている。なお、突起部２５と係止部２６の位置は、外パイプ２２と中子２３とを固定できれば、特に限定するものではなく、他の位置に設けることもできる。
【００２４】
ここで、開口部２７ａ，２７ｂと円弧を形成する中心Ｏとを結んだ各線分のなす角度αは、７０〜１２０°が好ましく、本実施形態では略９０°としている。このとき、外パイプ２２は略２７０°の円弧形となり、中子２３は、略１５０°の円弧形としている。角度αを７０〜１２０°とすることにより、中子２３をスライドさせて机上作業用クッション１ａを開口部２７ａ，２７ｂ間に位置させることができる。角度αが７０°未満になると、作業者が机上作業用クッション装着具２１内に入れなくなり、角度αが１２０°を超えると、中子２３の長さを長いものとしなければならず、また、中子を出没させる際に不安定となる。
【００２５】
また、机上作業用クッション１ａは、芯材２の周囲が柔軟性素材３で覆われており、芯材２は固定部２４に着脱可能に固定されている。中子２３には固定部２４が机上作業用クッション１ａの重量を支持可能な状態で固定されている。
本実施形態では、外パイプ２２と中子２３の断面は、略正方形であるが、中子２３が外パイプから出没可能であれば、長方形や円等の他の形状としても良い。また、外パイプ２２と中子２３の材質は、金属製や樹脂製とすることができる。
【００２６】
以上より、外パイプ２２の内周側に設けられた机上作業用クッション１ａは案内孔３１に沿って移動可能となるため、使用時には、中子２３をスライドさせて机上作業用クッション１ａを開口部２７ａ，２７ｂ間に位置させて作業者の胸部から腹部にかけて当接させることができ、使用しないときには、中子２３をスライドさせて、机上作業用クッション１ａを外パイプ２２の内周側へと収納することができる。
【００２７】
図９に、机上作業用クッション装着具２１を使用するときの使用状態を示す。机上作業用クッション装着具２１は、椅子４１に取り付けて使用されるものであり、作業者は、開口部２７ａ，２７ｂ間から机上作業用クッション装着具２１の内側へと入り着席することが可能である。机６に向かって着席した状態で作業を行う作業者は、机上作業用クッション１ａをスライドさせて、図５と同様に自分の体の胸部から腹部に当てて作業を行うことができる。机上作業用クッション１ａの芯材２の周囲は柔軟性素材３で覆われており、作業者は机６に寄りかかるような姿勢をとっても机６との間隔を適度な間隔で維持することができ、腰に係る負担を軽減しつつ良好な姿勢を保つことができる。
【産業上の利用可能性】
【００２８】
本発明は、机またはテーブル等に向かって着席した状態で作業を行う際に用いられる机上作業用クッションとして利用することができる。
【図面の簡単な説明】
【００２９】
【図１】本発明の実施形態に係る机上作業用クッションの全体斜視図である。
【図２】本発明の実施形態に係る机上作業用クッションのＡ−Ａ断面図である。
【図３】机に本発明の実施形態に係る机上作業用クッションを固定した状態を示す図である。
【図４】固定部の構成の一例を示す図である。
【図５】本発明の実施形態に係る机上作業用クッションの使用状況を示す図である。
【図６】机上作業用クッションを椅子に取り付けて用いるときの実施形態を示す図である。
【図７】机上作業用クッションを装着している机上作業用クッション装着具を示す図であり、（ａ）は机上作業用クッションを使用しない状態を示す平面図、（ｂ）は机上作業用クッションを使用する状態を示す平面図である。
【図８】図７（ａ）のＤ−Ｄ線断面図である。
【図９】机上作業用クッション装着具を使用するときの使用状態を示す図である。
【符号の説明】
【００３０】
１，１ａ  机上作業用クッション
２  芯材
３  柔軟性素材
４  突起部
５  固定部
６  机
７  取手
８  回動部材
９  吸盤
１０  椅子
１１  肘掛け
１２  棒状体
２１  机上作業用クッション装着具
２２  外パイプ
２３  中子
２４  固定部
２５  突起部
２６  係止部
２７ａ，２７ｂ  開口部
３１  案内孔
４１  椅子
Ｏ  中心
【図１】
2005177463.tif 000003
【図２】
2005177463.tif 000004
【図３】
2005177463.tif 000005
【図４】
2005177463.tif 000006
【図５】
2005177463.tif 000007
【図６】
2005177463.tif 000008
【図７】
2005177463.tif 000009
【図８】
2005177463.tif 000010
【図９】
2005177463.tif 000011